(57)【要約】【課題】光ディスク及び光ディスク再生装置において、特別な認証技術や専用のAVデコーダを使用することなく、光ディスクに記録されたコンテンツの付加的サービスを提供する。【解決手段】光ディスク２の本体に記録されたコンテンツの再生の制御に必要なディスク管理情報の一部又は全部を、（ｂ）に示される最内周トラック２９ではなく、無線ICタグ３に記録するようにした。これにより、従来の無線ICタグリーダ５を持たない光ディスク再生装置では再生できない、付加的なコンテンツサービスの提供を可能とする。【選択図】図４
2005346820.tif 000002
【特許請求の範囲】
【請求項１】
無線ICタグを有する光ディスクにおいて、
前記無線ICタグは、ディスク本体におけるコンテンツの記録されていないクランピングエリア又は前記ディスク本体における光照射側と反対側のディスク面（以下、レーベル面という）に貼り付けられた状態、又は前記ディスク本体の基板内に埋め込まれた状態で、前記ディスク本体に配設されており、
前記クランピングエリア又は前記レーベル面に、前記無線ICタグ用の円周状のアンテナを有し、
前記ディスク本体に記録されたコンテンツの再生の制御に必要なディスク管理情報の内、一部又は全てのタイトルの再生の制御に必要な制御情報が、前記ディスク本体の最内周部分の領域ではなく、前記無線ICタグに記録されていることを特徴とする光ディスク。
【請求項２】
無線ICタグを有する光ディスクにおいて、
光ディスク本体に記録されたコンテンツの再生の制御に必要なディスク管理情報の内、一部又は全てのタイトルの再生の制御に必要な制御情報が、前記ディスク本体ではなく、前記無線ICタグに記録されていることを特徴とする光ディスク。
【請求項３】
請求項１又は請求項２に記載の光ディスクに設けられた無線ICタグ内に記録された制御情報を読み出すためのリーダ装置と、
請求項１又は請求項２に記載の光ディスクのディスク本体に記録されたコンテンツを再生する再生手段と、
前記リーダ装置及び前記再生手段を制御する制御手段とを備え、
前記制御手段は、前記リーダ装置によって前記無線ICタグから読み出された前記制御情報のみに基づいて、又はこの制御情報に請求項１又は請求項２に記載の光ディスクのディスク本体から読みだしたディスク管理情報を加えた情報に基づいて、前記再生手段によるコンテンツの再生を制御するようにしたことを特徴とする光ディスク再生装置。
【請求項４】
無線ICタグを有する光ディスクにおいて、
無線ICタグのリーダ装置を有しない光ディスク再生装置で再生可能なタイトル以外の、追加のタイトルの再生に必要なキー情報の一部が、前記無線ICタグに記録されていることを特徴とする光ディスク。
【請求項５】
請求項４に記載の光ディスクに設けられた無線ICタグからキー情報の一部を読み出すためのリーダ装置と、
請求項４に記載の光ディスクのディスク本体に記録されたコンテンツを再生する再生手段と、
前記リーダ装置及び前記再生手段を制御する制御手段とを備え、
前記制御手段は、前記リーダ装置によって複数の前記光ディスクの無線ICタグから読み出されたキー情報の一部を組合わせて、キー情報を生成し、このキー情報が正当な場合に限り、無線ICタグのリーダ装置を有しない光ディスク再生装置で再生可能なタイトル以外の、追加のタイトルを再生することができるようにしたことを特徴とする光ディスク再生装置。
【発明の詳細な説明】
【技術分野】
【０００１】
本発明は、DVD(Digital  Versatile  Disc)やCD(Compact  Disc)等の光ディスク及び光ディスク再生装置に関するものである。
【背景技術】
【０００２】
従来より、光ディスクのコンテンツとして膨大な音楽ソフト、ビデオソフト等が普及している。このような中で、利用者へのサービスの１つとして、光ディスク等の記録媒体のコンテンツの利用者が、ボーナストラックを視聴することができるようにすることが考えられる。
【０００３】
従来の音楽サービスでは、サーバシステムを通じて楽曲データを購入するシステムにおいて、以前の購入者のデータを記録媒体とサーバシステムに記録しておき、再度購入する場合には、サーバシステムで購入者本人、購入記録媒体の内容を確認する事により、正規で購入したコンテンツを使用している購入者に対してのみ、新たなサービスを提供するものが知られている（特許文献１参照）。また、DVDオーディオディスクにオリジナル楽曲とは別にカラオケやBGMなどのボーナス楽曲を記録し、インターラクティブデータにより再生を許可することにより、ボーナス楽曲のサービスを提供するものが知られている。（特許文献２参照）。
【０００４】
しかしながら、従来の楽曲のボーナストラックのサービスにおいて、DVD、CD等におけるボーナストラックの提供では、ネットワークを通じて行ったり、専用のオーディオデコーダを必要とするという問題があった。また、この場合、本人確認のため、特別のID番号や暗証番号等の認証作業も伴うので大変複雑であり、一般のユーザには馴染まない面が多かった。そこで、簡単な構成でかつ、機密性の高いボーナストラックのサービスの提供が望まれていた。
【特許文献１】特開２００２−３３０３９５号公報
【特許文献２】特開２００２−３５２５１１号公報
【発明の開示】
【発明が解決しようとする課題】
【０００５】
本発明は、上記の問題を解決するためになされたものであり、簡単な構成で、機密性の高いボーナストラック等の付加的なコンテンツのサービスを提供することが可能な、無線ICタグを有する光ディスク及び光ディスク再生装置を提供することを目的とする。
【課題を解決するための手段】
【０００６】
上記目的を達成するために請求項１の発明は、無線ICタグを有する光ディスクにおいて、前記無線ICタグは、ディスク本体におけるコンテンツの記録されていないクランピングエリア又は前記ディスク本体における光照射側と反対側のディスク面（以下、レーベル面という）に貼り付けられた状態、又は前記ディスク本体の基板内に埋め込まれた状態で、前記ディスク本体に配設されており、前記クランピングエリア又は前記レーベル面に、前記無線ICタグ用の円周状のアンテナを有し、前記ディスク本体に記録されたコンテンツの再生の制御に必要なディスク管理情報の内、一部又は全てのタイトルの再生の制御に必要な制御情報が、前記ディスク本体の最内周部分の領域ではなく、前記無線ICタグに記録されているものである。
【０００７】
請求項２の発明は、無線ICタグを有する光ディスクにおいて、光ディスク本体に記録されたコンテンツの再生の制御に必要なディスク管理情報の内、一部又は全てのタイトルの再生の制御に必要な制御情報が、前記ディスク本体ではなく、前記無線ICタグに記録されているものである。
【０００８】
請求項３の発明は、請求項１又は請求項２に記載の光ディスクに設けられた無線ICタグ内に記録された制御情報を読み出すためのリーダ装置と、請求項１又は請求項２に記載の光ディスクのディスク本体に記録されたコンテンツを再生する再生手段と、前記リーダ装置及び前記再生手段を制御する制御手段とを備え、前記制御手段は、前記リーダ装置によって前記無線ICタグから読み出された前記制御情報のみに基づいて、又はこの制御情報に請求項１又は請求項２に記載の光ディスクのディスク本体から読みだしたディスク管理情報を加えた情報に基づいて、前記再生手段によるコンテンツの再生を制御するようにしたものである。
【０００９】
請求項４の発明は、無線ICタグを有する光ディスクにおいて、無線ICタグのリーダ装置を有しない光ディスク再生装置で再生可能なタイトル以外の、追加のタイトルの再生に必要なキー情報の一部が、前記無線ICタグに記録されているものである。
【００１０】
請求項５の発明は、請求項４に記載の光ディスクに設けられた無線ICタグからキー情報の一部を読み出すためのリーダ装置と、請求項４に記載の光ディスクのディスク本体に記録されたコンテンツを再生する再生手段と、前記リーダ装置及び前記再生手段を制御する制御手段とを備え、前記制御手段は、前記リーダ装置によって複数の前記光ディスクの無線ICタグから読み出されたキー情報の一部を組合わせて、キー情報を生成し、このキー情報が正当な場合に限り、無線ICタグのリーダ装置を有しない光ディスク再生装置で再生可能なタイトル以外の、追加のタイトルを再生することができるようにしたものである。
【発明の効果】
【００１１】
請求項１の発明によれば、ディスク管理情報の内、一部又は全てのタイトルの再生の制御に必要な制御情報が、無線ICタグに記録されているので、この無線ICタグのリーダ装置をもった光ディスク再生装置を用いて、無線ICタグからディスク管理情報を読み出し、このディスク管理情報に基づいて、従来の無線ICタグリーダ装置を備えていない光ディスク再生装置では再生できないタイトル（追加のコンテンツ）を再生することができる。
これにより、従来の光ディスク再生装置では再生できない付加的なコンテンツのサービスを提供することが可能となる。すなわち、無線ICタグリーダ付きの光ディスク再生装置を持っているユーザのみが、付加的なコンテンツサービスを受けることができる。また、このコンテンツの再生には、特別の認証作業や専用のAVデコーダを備える等の複雑な構成が必要とされないので、簡単な構成で付加的なコンテンツのサービスを提供することが可能となる。勿論、コンテンツのタイトル数などのサービスの程度も自由に変えて提供できる。
【００１２】
また、ディスク管理情報の一部又は全部を、ディスク本体ではなく、無線ICタグに記録しているので、例え、何らかの形でディスク本体のコンテンツ内容が違法にコピーされたとしても、無線ICタグ内のディスク管理情報はコピーされない。従って、コピー先のディスクにはディスク管理情報が一部しかなく、この光ディスクに記録されたコンテンツも少なくとも一部しか再生することができないので、機密性が高く保たれる。
【００１３】
請求項２の発明によれば、光ディスク本体に記録された、コンテンツの再生の制御に必要なディスク管理情報の内、一部又は全てのタイトルの再生の制御に必要な制御情報が、前記ディスク本体ではなく、前記無線ICタグに記録されているので、前記請求項１と同様の効果が得られる。
【００１４】
請求項３の発明によれば、光ディスク再生装置に、無線ICタグ内に記録された制御情報を読み出すためのリーダ装置を設けたことにより、このリーダ装置から、この無線ICタグ内の前記制御情報を読み出すことができる。そして、この制御情報のみに基づいて、又はこの制御情報に、請求項１又は請求項２に記載の光ディスクのディスク本体から読み出されたディスク管理情報を加えた情報に基づいて、光ディスクのディスク本体に記録されたコンテンツを再生することもできる。これにより、従来の無線ICタグリーダ装置を持たない光ディスク再生装置では、一部のタイトルのみしか再生できないが、前記無線ICタグリーダ装置を持つ光ディスク再生装置では、追加のタイトル又は全てのタイトルの再生を行うことができるようにすることができる。即ち、本構成により、簡単に付加的なコンテンツのサービスを提供することができ、請求項１と同様の効果を得ることができる。
【００１５】
請求項４の発明によれば、無線ICタグを有する光ディスクにおいて、無線ICタグのリーダ装置を有しない光ディスク再生装置で再生可能なタイトル以外の、追加のタイトルの再生に必要なキー情報の一部が、無線ICタグに記録されているので、この無線ICタグのリーダ装置を備えた光ディスク再生装置を用いて、追加のタイトルの再生に必要なキー情報の一部を読み出すことができる。このキー情報を用いて、追加のタイトルの再生を制御することにより、ボーナストラック等のサービスを選択的に提供することができる。
【００１６】
請求項５の発明によれば、光ディスク再生装置は、複数の光ディスクの無線ICタグから読み出されたキー情報の一部を組合わせて、キー情報を生成し、このキー情報が正当な場合に限り、無線ICタグのリーダ装置を有しない光ディスク再生装置で再生可能なタイトル以外の、追加のタイトルを再生することができる。従って、複数枚の前記光ディスクの無線ICタグから読み出された、複数のキー情報の組み合わせで生成したキー情報でもって、追加のタイトルを再生できる。従って、このキー情報の適用により、上記複数枚以外の別の光ディスクのタイトルを再生することが可能となり、サービスの対象となる光ディスクを指定する等、選択的なサービスもでき、サービスの幅を広げることができる。
【発明を実施するための最良の形態】
【００１７】
以下、図面を参照して本発明の実施の形態を説明する。図１は、本実施形態による無線ICタグ３を有する光ディスク２（以下、光ディスクと略す）と、無線ICタグリーダ付き光ディスク再生装置１（以下、光ディスク再生装置と略す）とを示す。光ディスク再生装置１には無線ICタグリーダ装置５が内蔵されており、光ディスク２の表面には、無線ICタグ３と、この無線ICタグ３に接続されて光ディスク面上で円周状に形成されたアンテナ４とが配設されている。
【００１８】
図２は、上記光ディスク再生装置１の電気ブロック図を示す。同図で、無線ICタグ３を有する光ディスク２が光ディスク再生装置１に挿入されると、光ディスク２に装着された無線ICタグ３に記録されているディスク管理情報は、無線ICタグ３の近傍に配置された無線ICタグリーダ装置（以下、リーダ装置と略す）５により、無線交信を通じて読み取られる。リーダ装置５内のアンテナ（図示していない）は、送受信感度を高めるため、光ディスク２の面と平行で、そのアンテナの中心が、空間的に光ディスク２の円盤の中心軸上にくるように配置されている。リーダ装置５により読み取られたディスク管理情報は、リーダ装置５から全体制御部１０に送られる。また、光ディスク２のディスク本体２１（図３（a）参照）における最内周に記録されたディスク管理情報は、光ピックアップ６、信号処理部７を経て、全体制御部１０に送られる。全体制御部１０は、これらのディスク管理情報を用いて、光ディスク２内のコンテンツの再生動作をスタートさせ、光ディスク２内に記録された情報を読み取とって、コンテンツを再生する。なお、信号処理部７は、RF増幅部１２で増幅された光ピックアップ６からのRF信号を基に、フォーカス制御信号、トラッキング制御信号を生成してサーボ制御部８を制御する。情報再生部９は、RF信号から映像、音声情報を再生するデコーダである。全体制御部１０は、上記機能に加え、スピンドルモータ１３、移動モータ部１５、レーザ駆動部１４、信号処理部７、サーボ制御部８、情報再生部９、及び制御に必要な情報を記憶するメモリ１１等を制御して、装置全体のコントロールを行う。
【００１９】
図３（a）、（b）は、上記光ディスク２におけるディスク本体２１、無線ICタグ３、アンテナ４等の関係を説明する図である。図３（a）において、光ディスク２のディスク本体２１は、ここでは２層ディスクの構造を示しており、２２a、２２bはディスク本体２１の両面に設けられた基板で、２４a、２４bは２層の記録層であり、２３は記録層２４a、２４bの間に設けられたスペース層である。２５はディスク本体２１のセンターに設けられたセンターホールで、２６はディスク本体２１内で記録に使用されないクランピングエリアである。無線ICタグ３は、レーザ光が照射される記録面２８と反対側のレーベル面２７上であればどこに配してもよいが、ここではクランピングエリア２６面上に装着している。アンテナ４もレーベル面２７上ではどこに配してもよいが、ここではクランピングエリア２６上に配されている。アンテナ４と無線ICタグ３は電気的に接続されており、無線ICタグ３はアンテナ４を介して情報を送受信する。無線ICタグ３はレーベル面２７の表面に装着しているが、ディスク本体２１の内部、例えば基板２２a等に埋め込むことも可能であり、アンテナ４も同様に埋め込むことができる。
【００２０】
図３（b）は、図３(a)に示される光ディスク２の平面図である。図中のアンテナ４は、金属を表面に印刷して形成したものであってもよい。また、本アンテナ４は、円周上に形成されているので、光ディスク２が回転しても、電波の輻射する方向がディスク中心軸に沿って同一方向なので、このディスク中心軸上にリーダ装置５内のアンテナ（図示していない）を設けたことにより、無線ICタグ３に記録されたデータの送受信において、電波の変動が少ない安定した送受信を実現することができる。
【００２１】
次に、図４（a）、(b)を参照して、上記無線ICタグ３を備えた光ディスク２において、ディスク管理情報が記録される無線ICタグ３とディスク本体２１との関係を説明する。図４（a）は、従来の光ディスク１０２で、最内周トラック１２９（図４（a）中の線ハッチング部）にコンテンツの再生の制御に必要なディスク管理情報が記録されている。従来の光ディスク再生装置は、このディスク管理情報を先ず読み取って、このディスク管理情報を用いてコンテンツの再生を行う。従って、このディスク管理情報なしにはコンテンツの再生はできない。
【００２２】
図４（b）は、本発明の無線ICタグ３を備えた光ディスク２を示しており、光ディスク２の最内周トラック２９（図３(ｂ)中の点ハッチング部、トラック面は紙面の裏側）には、コンテンツの再生の制御に必要なディスク管理情報の一部又は全部が存在せず、無線ICタグ３にディスク管理情報の一部又は全部が記録されている。即ち、本実施形態による無線ICタグ３を有する光ディスク２を、従来の無線ICタグのリーダ装置を持たない光ディスク再生装置で再生しようとしても、本光ディスク２には、ディスク管理情報の一部又は全部が存在しないので、光ディスク２に格納された一部又は全てのタイトルを再生することができない。
【００２３】
次に、本発明の他の実施形態の光ディスクと光ディスク再生装置について、図５を参照して説明する。同図で、複数の光ディスク２a、２b、2cは、それぞれ無線ICタグ２a、２b、２cとアンテナ４a、4b、4cを装着している。今、別々のキー情報を含む前記光ディスク2a、2bを、前記無線ICタグリーダ付き光ディスク再生装置１に挿入すると、前記光ディスク2a、2bの各無線ICタグ3a、3bから、リーダ装置５によりキー情報が読み出され、これらのキー情報を組み合わせて、新たなキー情報が生成される。このキー情報を用いて、前記光ディスク3a内の、従来の無線ICタグを持たない光ディスク再生装置で再生できないタイトルが、無線ICタグリーダ付き光ディスク再生装置１によって再生される。従って、光ディスク2a、2bを所有するユーザは、これらの光ディスク2cを購入した場合、新しいコンテンツ（追加のタイトル）のサービスを受けることができる。
【００２４】
上記実施形態の具体例について説明する。無線ICタグ付き音楽用CDでシングル盤Aとシングル盤Bの２枚を持っている場合、シングル盤Aとシングル盤Bのそれぞれの無線ICタグ内に、各キー情報を記録しておき、それらシングル盤Aとシングル盤Bから取り出された２つのキー情報を読み出し、それらを組合わせることで新たなキー情報を生成する。この新たなキー情報を用いて、第３の音楽用CD（例えば別の無線ICタグ付き音楽アルバム版CD等）の中に内蔵されている特別音楽ソフト（例えば、前記アルバムの１３曲目）の再生を可能にする。このように、本無線ICタグリーダ付き光ディスク再生装置１は、無線ICタグリーダを持たない光ディスク再生装置との互換性を保ちつつ、ユーザに付加的なコンテンツのサービスが得られる特典を提供することができるので、無線ICタグ機能付きプレイヤの需要促進に寄与することができる。
【００２５】
以上述べたように、本実施形態による無線ICタグ付き光ディスク２と無線ICタグリーダ付き光ディスク再生装置１によれば、ディスク管理情報の内、一部又は全てのタイトルの再生の制御に必要な制御情報を、光ディスク２ではなく、無線ICタグ３に記録し、この制御情報を無線ICタグ３の専用のリーダ装置５で読み出すようにした。このような構成にしたことにより、従来の無線ICタグリーダ装置を備えていない光ディスク再生装置では再生できないタイトルを、無線ICタグ３からの読み出した情報を用いて再生できる。これにより、従来の光ディスク再生装置では再生できない、付加的なコンテンツのサービスを提供することが可能となる。すなわち、無線ICタグリーダ付きの光ディスク再生装置を持っているユーザにのみが、新しいコンテンツサービスを受けることができる。また、このコンテンツの再生には、特別の個人認証作業や専用のAVデコーダを備える等、複雑な構成が必要とされないので、簡単な構成で、付加的なコンテンツのサービスを提供することが可能となる。また、コンテンツのタイトル数などのサービスの程度も自由に変えて提供できる。
【００２６】
また、ディスク管理情報の一部又は全部を、ディスク本体ではなく、無線ICタグに記録しているので、例え、何らかの形でディスク本体のコンテンツ内容が違法にコピーされたとしても、無線ICタグ３内のディスク管理情報はコピーされない。従って、コピー先のディスクにはディスク管理情報が少なくとも一部しかなく、この光ディスクに記録されたコンテンツも、少なくとも一部しか再生することができないので、機密性が高く保たれる。
【００２７】
なお、本発明は、上記実施形態に限られるものではなく、様々な変形が可能である。上記で、２枚の前記光ディスク２a、2bのキー情報を用いて、新たにキー情報を生成し、第3番目の前記光ディスク２c内における特別のタイトルの再生を可能にすることができることを述べたが、例えば、光ディスクが４枚以上でもよく、また、各キー情報は１つとは限らず、複数であっても勿論かまわない。
【００２８】
また、例えば、上述の実施形態では無線ICタグ３とアンテナ４をレーベル面２７のクランピングエリア２６の表面に装着しているが、レーベル面２７上であればどこに装着してもよい。また、無線ICタグ３を、ディスク本体２１の基板２２a内のレーベル面２７近傍に埋め込んでもよい。この場合、無線ICタグ３が基板２２aで保護されることになり、簡単に取り外されず、実質的に安全で確実な無線ICタグ３の実装ができる。さらに、アンテナ４の形は、必ずしも円形である必要はなく、多角形等でもよく、光ディスク２の中心に対称な形で形成されていればよい。また、光ディスク再生装置側のリーダ装置内のアンテナも、無線ICタグ内のアンテナと同じく、光ディスクの中心軸上に対称に円形又は多角形等で構成すれば、送受信感度が向上し、より安定した装置の制御を行うことができる。
【００２９】
さらに、無線ICタグ内に記録されるディスク管理情報を別途暗号化することにより、強固なコピー防止を行うことができる。さらに、ICタグ内に記録する情報として、ディスク管理情報以外の情報を記録させることにより、新たなサービスを付加することも可能である。
【図面の簡単な説明】
【００３０】
【図１】本発明の一実施形態に係る無線ICタグを有する光ディスクと光ディスク再生装置の外観図。
【図２】上記光ディスク再生装置の電気的ブロック図。
【図３】(a),(b)は、それぞれ上記光ディスクの斜視図と平面図。
【図４】(a),(b)は、それぞれ従来の光ディスクと上記光ディスクにおけるディスク管理情報の格納場所の説明図。
【図５】本発明の他の実施形態に係る無線ICタグを有する光ディスクと光ディスク再生装置の外観図。
【符号の説明】
【００３１】
１    無線ICタグリーダ付き光ディスク再生装置
２    無線ICタグを有する光ディスク
３    無線ICタグ
４    アンテナ
５    無線ICタグリーダ装置
１０  全体制御部
２１  ディスク本体
２６  クランピングエリア
２７  レーベル面
２８  記録面
２９  最内周トラック
２２a、２２b  ディスク基板
【図１】
2005346820.tif 000003
【図２】
2005346820.tif 000004
【図３】
2005346820.tif 000005
【図４】
2005346820.tif 000006
【図５】
2005346820.tif 000007